(57)【特許請求の範囲】
【請求項１】
第１の放送チャンネルに対応する音声情報およびその付随情報としてのテキスト情報を受信する第１の受信手段と、
第２の放送チャンネルに対応する付随情報としてのテキスト情報を受信する第２の受信手段と、
前記第１の受信手段によって受信された前記音声情報に基づいて音声出力を行う音声出力手段と、
前記第１および前記第２の受信手段によって受信された前記テキスト情報のいずれか一方の内容を表示する表示手段と、
前記第１の受信手段による受信対象となる前記第１の放送チャンネルを切り替える選局手段と、
前記表示手段に前記第２の受信手段によって受信された前記テキスト情報の内容を表示している状態で、前記第１の受信手段による受信対象となる前記第１の放送チャンネルの内容が前記選局手段によって切り替えられたときに、この切り替えられた後の前記第１の放送チャンネルに対応する前記テキスト情報の内容を前記表示手段によって表示させる制御を行う切替制御手段と、
を備え、前記切替制御手段は、前記第１の受信手段による受信対象となる前記第１の放送チャンネルが切り替えられてから所定時間経過後に、前記第２の受信手段による受信対象となる前記第２の放送チャンネルに対応する前記テキスト情報の内容を前記表示手段によって表示させる制御を行うことを特徴とする受信機。
【請求項２】
第１の放送チャンネルに対応する音声情報およびその付随情報としてのテキスト情報を受信する第１の受信手段と、
第２の放送チャンネルに対応する付随情報としてのテキスト情報を受信する第２の受信手段と、
前記第１の受信手段によって受信された前記音声情報に基づいて音声出力を行う音声出力手段と、
前記第１および前記第２の受信手段によって受信された前記テキスト情報のいずれか一方の内容を表示する表示手段と、
前記第１の受信手段による受信対象となる前記第１の放送チャンネルを切り替える選局手段と、
前記表示手段に前記第２の受信手段によって受信された前記テキスト情報の内容を表示している状態で、前記第１の受信手段による受信対象となる前記第１の放送チャンネルの内容が前記選局手段によって切り替えられたときに、この切り替えられた後の前記第１の放送チャンネルに対応する前記テキスト情報の内容を前記表示手段によって表示させる制御を行う切替制御手段と、
利用者による選局指示を受け付ける操作手段と、
を備え、前記切替制御手段は、前記第１の受信手段による受信対象となる前記第１の放送チャンネルが切り替えられた後、前記操作手段を用いて利用者による所定の操作がなされたときに、前記第２の受信手段による受信対象となる前記第２の放送チャンネルに対応する前記テキスト情報の内容を前記表示手段によって表示させる制御を行うことを特徴とする受信機。
【発明の詳細な説明】
【０００１】
【発明の属する技術分野】
本発明は、各種のデジタル放送を受信する受信機に関する。
【０００２】
【従来の技術】
最近では、映像信号や音声信号をデジタル化して番組放送を行う各種のデジタル放送が実用化されている。例えば、通信衛星デジタル放送（ＣＳデジタル放送）や、欧州等におけるデジタルオーディオ放送ＤＡＢ（Digital Audio Broadcasting）等のデジタル放送が実用化され、高品質な映像や音声による番組放送が行われている。一般に、デジタル方式の放送形態は、従来のアナログ方式の放送形態よりも電波の有効利用が可能であるため、一の放送波に対して多くの番組を多重化することができる。このため、各種のデジタル放送では、従来のアナログ放送に比べて受信可能なチャンネル数が格段に多くなり、いわゆる多チャンネル放送が実現される。
【０００３】
また、各種のデジタル放送では、映像や音声の情報に加えて、文字情報（テキスト情報）の配信が行われており、放送中の番組に関連する情報などを文字によって提供することができるようになっている。例えば、デジタルオーディオ放送により配信される音楽番組を受信している場合には、オンエア中の楽曲に関連する情報（例えば、アーティスト名や曲名など）などの文字情報が受信機の表示部に表示される。また、気象情報等の番組を受信している場合には、気象情報等の内容が音声出力されるとともに文字情報として表示される。
【０００４】
【発明が解決しようとする課題】
ところで、上述したようなデジタルオーディオ放送を受信する場合に、一の放送チャンネルの音声情報を音声出力するとともに、他の放送チャンネルの文字情報を表示することができるようにした受信機が提案されている。
【０００５】
しかし、このような従来の受信機では、音声情報の受信対象とする放送チャンネルを切り替えた際に、切り替え後の放送チャンネルの音声情報に付随している文字情報を確認したい場合には、その都度、文字情報の受信対象とする放送チャンネルについても切り替える必要があり、選局時に音声情報に附随する文字情報を取得する際の操作が煩わしいという問題があった。
【０００６】
本発明は、このような点に鑑みて創作されたものであり、その目的は、選局時に煩雑な操作を行うことなく音声情報に付随する文字情報を取得することができる受信機を提供することにある。
【０００７】
【課題を解決するための手段】
上述した課題を解決するために、本発明の受信機は、第１の放送チャンネルに対応する音声情報およびその付随情報としてのテキスト情報を第１の受信手段により受信するとともに、第２の放送チャンネルに対応する付随情報としてのテキスト情報を第２の受信手段により受信しており、第１の受信手段によって受信された音声情報に基づいて音声出力手段によって音声出力を行い、第１および第２の受信手段によって受信されたテキスト情報のいずれか一方の内容を表示手段によって表示している。そして、第１の受信手段による受信対象となる第１の放送チャンネルを選局手段によって切り替えており、表示手段に第２の受信手段によって受信されたテキスト情報の内容を表示している状態で、第１の受信手段による受信対象となる第１の放送チャンネルの内容が選局手段によって切り替えられたときに、この切り替えられた後の第１の放送チャンネルに対応するテキスト情報の内容を表示手段によって表示させる制御を切替制御手段によって行っている。音声情報の放送チャンネルを切り替えた際に、この放送チャンネルに対応するテキスト情報が自動的に表示されるので、選局時に煩雑な操作を行うことなく音声情報に付随する文字情報を取得することができる。
【０００８】
上述した切替制御手段は、第１の受信手段による受信対象となる第１の放送チャンネルが切り替えられてから所定時間経過後に、第２の受信手段による受信対象となる第２の放送チャンネルに対応するテキスト情報の内容を表示手段によって表示させる制御を行うことが望ましい。所定時間が経過した後に、第２の放送チャンネルに対応するテキスト情報の内容を再び表示しているので、利用者は何らの操作指示を行わなくても、第１のチャンネルに対応するテキスト情報を見た後に、第２の放送チャンネルに対応するテキスト情報を見ることができる。
【０００９】
また、利用者による選局指示を受け付ける操作手段をさらに備えておき、上述した切替制御手段は、第１の受信手段による受信対象となる第１の放送チャンネルが切り替えられた後、操作手段を用いて利用者による所定の操作がなされたときに、第２の受信手段による受信対象となる第２の放送チャンネルに対応するテキスト情報の内容を表示手段によって表示させる制御を行うことが望ましい。第１の放送チャンネルに対応するテキスト情報を見る必要がない場合や、既に見終わった場合などには、所定の操作を行うことにより、速やかに第２の放送チャンネルに対応するテキスト情報の内容を表示させることができる。
【００１０】
【発明の実施の形態】
以下、本発明を適用した一実施形態の受信機について、図面を参照しながら説明する。
図１は、本実施形態の受信機の構成を示す図である。図１に示す受信機は、音声受信部１、テキスト受信部２、音声デコード部３、アンプ４、スピーカ５、切替制御部６、データデコード部７、制御部８、操作部９、表示部１０を含んで構成されている。
【００１１】
音声受信部１は、利用者により選局された一の放送チャンネル（第１の放送チャンネル）に対応する音声情報と、その付随情報としてのテキスト情報を受信するためのものであり、アンテナ３０、ＲＦ（Radio Frequency ）部３２、復調部３４、デマルチプレクサ３６を含んで構成されている。
【００１２】
ＲＦ部３２は、アンテナ３０を介して受信した放送波の中から所望の受信周波数の成分を抽出するとともに、この抽出した信号に対して周波数変換を行った中間周波信号を出力する。
復調部３４は、ＲＦ部３２から出力される中間周波信号をデジタルデータに変換した後に所定の復調処理を行って送信データを復元し、さらに送信データのインタリーブを解いて元のデータ列に戻した後に誤り検出訂正処理を行う。
【００１３】
デマルチプレクサ３６は、復調部３４から出力される送信データの中から所望の放送チャンネルの音声情報およびテキスト情報を分離し、音声デコード部３および切替制御部６にそれぞれ出力する。
テキスト受信部２は、利用者により選局された一の放送チャンネル（第２の放送チャンネル）に対応する付随情報としてのテキスト情報を受信するためのものであり、アンテナ４０、ＲＦ部４２、復調部４４、デマルチプレクサ４６を含んで構成されている。
【００１４】
ＲＦ部４２は、アンテナ４０を介して受信した放送波の中から所望の受信周波数の成分を抽出するとともに、この抽出した信号に対して周波数変換を行った中間周波信号を出力する。
復調部４４は、ＲＦ部４２から出力される中間周波信号をデジタルデータに変換した後に所定の復調処理を行って送信データを復元し、さらに送信データのインタリーブを解いて元のデータ列に戻した後に誤り検出訂正処理を行う。
【００１５】
デマルチプレクサ４６は、復調部４４から出力される送信データの中から所望の放送チャンネルのテキスト情報を分離して切替制御部６に出力する。
音声デコード部３は、音声受信部１内のデマルチプレクサ３６から出力される音声情報に対して所定の伸長処理を行い、アナログの音声信号を出力する。音声デコード部３から出力された音声信号がアンプ４によって増幅されてスピーカ５に入力され、スピーカ５から音声出力が行われる。
【００１６】
切替制御部６は、制御部８からの指示に基づいて、音声受信部１内のデマルチプレクサ３６から出力されるテキスト情報と、テキスト受信部２内のデマルチプレクサ４６から出力されるテキスト情報のいずれかをデータデコード部７に出力する制御を行う。
【００１７】
データデコード部７は、切替制御部６から出力されるテキスト情報に対して所定の伸長処理を行い、音声情報に附随するテキスト情報に対応するデータを出力する。
制御部８は、受信機の全体動作を制御する。具体的には、制御部８は、音声受信部１による受信対象となる第１の放送チャンネル、およびテキスト受信部２による受信対象となる第２の放送チャンネルを設定する選局処理や、切替制御部６に指示を送り、音声受信部１から出力されるテキスト情報とテキスト受信部２から出力されるテキスト情報のいずれかをデータデコード部７に出力させる処理、データデコード部７から取得したテキスト情報の内容を表示部１０に表示する処理などを行っている。制御部８の動作内容の詳細については後述する。
【００１８】
操作部９は、電源キーや選局キー等の各種操作キーを備えており、操作状況に応じた信号を制御部８に出力する。
表示部１０は、受信中の放送チャンネルのチャンネル番号や現在時刻など各種の情報を表示するとともに、テキスト情報の内容を表示する。
【００１９】
上述した音声受信部１が第１の受信手段に、テキスト受信部２が第２の受信手段に、音声デコード部３、アンプ４、スピーカ５が音声出力手段に、データデコード部７、制御部８、表示部１０が表示手段に、制御部８が選局手段に、切替制御部６、制御部８が切替制御手段に、操作部９が操作手段にそれぞれ対応している。
【００２０】
本実施形態の受信機はこのような構成を有しており、次にその動作を説明する。
図２および図３は、受信機の動作手順を示す流れ図である。受信機の電源が投入されると、制御部８は、音声受信部１による受信対象となる第１の放送チャンネルを設定する。具体的には、制御部８は、操作部９を用いて利用者により選局指示が行われた場合にはその選局指示に対応して第１の放送チャンネルを設定し、利用者による選局指示が行われない場合には前回の動作時に選局されていた放送チャンネルに対応して第１の放送チャンネルを設定する。制御部８により第１の放送チャンネルが設定されると、音声受信部１によって第１の放送チャンネルの音声情報が受信され、音声情報に基づいた音声出力が行われる（ステップ１００）。
【００２１】
また、制御部８は、テキスト受信部２による受信対象となる第２の放送チャンネルを設定する。具体的には、制御部８は、操作部１０を用いて利用者により選局指示が行われた場合にはその選局指示に対応して第２の放送チャンネルを設定し、利用者による選局指示が行われない場合には前回の動作時に選局されていた放送チャンネルに対応して第２の放送チャンネルを設定する。制御部８により第２の放送チャンネルが設定されると、テキスト受信部２によって第２の放送チャンネルのテキスト情報が受信され、その内容が表示部１０に表示される（ステップ１０１）。
【００２２】
次に制御部８は、利用者によって、第１の放送チャンネルが現在受信中の放送チャンネルと異なる放送チャンネル（他局）に切替えられたか（選局指示がなされたか）否かを判定する（ステップ１０２）。
第１の放送チャンネルに関する選局が行われていない場合には、ステップ１０２で否定判断が行われ、制御部８は、第２の放送チャンネルが現在受信中の放送チャンネルと異なる放送チャンネル（他局）に切替えられたか（選局指示がなされたか）否かを判定する（ステップ１０３）。
【００２３】
第２の放送チャンネルが他局に切替えられた場合には、ステップ１０３で肯定判断が行われ、制御部８は、データデコード部７から出力されるデータを取得し、新たな第２の放送チャンネルに対応するテキスト情報に基づいて、表示部１０に表示するテキスト情報の表示内容を更新する（ステップ１０４）。
【００２４】
また、第２の放送チャンネルに関する選局が行われておらず、上述したステップ１０３で否定判断が行われた場合、またはステップ１０４に示す処理が行われた後に、制御部８は、現在第２の放送チャンネルとして設定されている放送チャンネルを新たに第１の放送チャンネルとして設定する旨の操作指示（チャンネル切替指示）が行われたか否かを判定する（ステップ１０５）。所定のチャンネル切替指示が行われていない場合には、ステップ１０５で否定判断が行われ、この場合には上述したステップ１０２に戻り、以降の処理が繰り返される。
【００２５】
所定のチャンネル切替指示が行われた場合には、ステップ１０５で肯定判断が行われ、第２の放送チャンネルに対応して、第１の放送チャンネルを変更する（ステップ１０６）。
ステップ１０６に示す処理が行われ、制御部８により新たな第１の放送チャンネルが設定されると、あるいは、上述したステップ１０２において肯定判断が為された場合、次に、この放送チャンネルに対応する音声情報に基づいた音声出力が行われる（ステップ１０７）。
【００２６】
また制御部８は、切替制御部６に指示を送り、音声受信部１から出力されるテキスト情報をデータデコード部７に出力させる。そして制御部８は、データデコード部７から出力されるデータを取得し、このデータに基づいて第１の放送チャンネルに対応するテキスト情報の内容を表示部１０に表示する（ステップ１０８）。
【００２７】
次に制御部８は、所定時間が経過したか否かを判定する（ステップ１０９）。所定時間が経過していない場合には、ステップ１０９で否定判断が行われ、次に制御部８は、テキスト情報の表示内容を第２の放送チャンネルに基づく内容に切り替える旨の操作指示（テキスト表示の切替指示）が利用者により行われたか否かを判定する（ステップ１１０）。テキスト表示の切替指示が行われていない場合には、ステップ１１０で否定判断が行われ、この場合には上述したステップ１０９に戻り、以降の処理が繰り返される。
【００２８】
所定時間が経過した場合（ステップ１０９で肯定判断）、またはテキスト表示の切替指示が行われた場合（ステップ１１０で肯定判断）に、制御部８は、切替制御部６に指示を送り、テキスト受信部２から出力されるテキスト情報をデータデコード部７に出力させる。そして制御部８は、データデコード部７から出力されるデータを取得し、このデータに基づいて第２の放送チャンネルに対応するテキスト情報の内容を表示部１０に表示する（ステップ１１１）。その後、上述したステップ１０２に戻り、以降の処理が繰り返される。
【００２９】
図４は、上述した一連の処理によって表示されるテキスト情報の遷移状態の具体例を示す図である。図４（Ａ）に示すように、例えば、第１の放送チャンネルとしてチャンネル番号“００１”のチャンネル「ＣＨ００１」が選局されており、ポップスのジャンルに属する楽曲を提供する音楽番組の音声情報が受信され、音声出力が行われている。また、第２の放送チャンネルとしてチャンネル番号“０４４”のチャンネル「ＣＨ０４４」が選局されており、気象情報を提供する番組のテキスト情報が受信され、その内容が表示部１０の中央付近に表示されている。
【００３０】
このような状態において、新たな第１の放送チャンネルとしてチャンネル番号“００７”の放送チャンネル「ＣＨ００７」が選局された場合には、今週のヒットチャートを提供する音楽番組の音声情報が受信され、音声出力が行われる。この場合には、図４（Ｂ）に示すように、新たな第１の放送チャンネル「ＣＨ００７」に対応するテキスト情報の内容が表示部１０の中央付近に表示される。また、新たな第１の放送チャンネルに対応する音声情報が受信され、テキスト情報が表示されてから所定時間が経過した場合、または所定の操作指示が行われた場合には、図４（Ｃ）に示すように、第２の放送チャンネルに対応するテキスト情報の内容が表示部１０の中央付近に再度表示される。
【００３１】
図５は、上述した一連の処理によって表示されるテキスト情報の遷移状態の他の具体例を示す図である。図５（Ａ）に示すように、例えば、第１の放送チャンネルとしてチャンネル番号“００１”のチャンネル「ＣＨ００１」が選局されており、ポップスのジャンルに属する楽曲を提供する音楽番組の音声情報が受信され、音声出力が行われている。また、第２の放送チャンネルとしてチャンネル番号“０４４”のチャンネル（ＣＨ０４４）が選局されており、気象情報を提供する番組のテキスト情報が受信され、その内容が表示部１０の中央付近に表示されている。
【００３２】
このような状態において、新たな第２の放送チャンネルとしてチャンネル番号“００７”の放送チャンネル「ＣＨ００７」が選局された場合には、図５（Ｂ）に示すように、新たな第２の放送チャンネル「ＣＨ００７」に対応するテキスト情報の内容が表示部１０の中央付近に表示される。なお、この際には、第１の放送チャンネル「ＣＨ００１」に対応する音声情報に基づいた音声出力は継続して行われている。また、現在、第２の放送チャンネルとして設定されている放送チャンネル「ＣＨ００７」を新たに第１の放送チャンネルとして設定する旨の指示が行われた場合には、図５（Ｃ）に示すように、この放送チャンネル「ＣＨ００７」が新たに第１の放送チャンネルとして設定され、対応する音声情報に基づいた音声出力が行われる。また、図５（Ｃ）では、第２の放送チャンネルが「ＣＨ０４４」に設定されており、第２の放送チャンネル「０４４」に対応するテキスト情報の内容が表示部１０の中央付近に表示されている。
【００３３】
このように、本実施形態の受信機では、音声受信部１によって受信される第１の放送チャンネルを切り替えた際に、この第１の放送チャンネルに対応するテキスト情報の内容が自動的に表示部１０に表示されるので、選局時に煩雑な操作を行うことなく音声情報に付随する文字情報を取得することができる。
【００３４】
また、操作部９を用いて所定のチャンネル切替指示を行うことにより、第２の放送チャンネルとして設定されている放送チャンネルを、新たな第１の放送チャンネルとして設定することができるので、音声情報を配信する第１の放送チャンネルを選局する際に、受信中の放送チャンネルに対応する音声情報の音声出力を途切れさせることなく、新たな第１の放送チャンネルを選択することができるという利点もある。
【００３５】
なお、本発明は上記実施形態に限定されるものではなく、本発明の要旨の範囲内において種々の変形実施が可能である。例えば、上述した実施形態では、図４または図５に示す表示例において、第１および第２の放送チャンネルのチャンネル番号とともにチャンネル名が表示されているが、表示部１０の表示面積が少ない場合などには、チャンネル名を省略してもよい。
【００３６】
また、上述した実施形態では、第１の放送チャンネルが他局に切替えられた場合に、新たな第１の放送チャンネルに対応するテキスト情報の内容が表示されていたが、操作部９を用いて所定の操作を行うことにより、その時点で受信中の第１の放送チャンネルに対応するテキスト情報が一時的に表示されるようにしてもよい。この場合には、例えば、所定の操作が行われてから一定時間だけ第１の放送チャンネルに対応するテキスト情報の内容を表示し、その後、自動的に第２の放送チャンネルに対応するテキスト情報の内容が再度表示されるようにしておけばよい。
【００３７】
【発明の効果】
上述したように、本発明によれば、音声情報の放送チャンネルを切り替えた際に、この放送チャンネルに対応するテキスト情報が自動的に表示されるので、選局時に煩雑な操作を行うことなく音声情報に付随する文字情報を取得することができる。
【図面の簡単な説明】
【図１】一実施形態の受信機の構成を示す図である。
【図２】受信機の動作手順を示す流れ図である。
【図３】受信機の動作手順を示す流れ図である。
【図４】一連の処理によって表示されるテキスト情報の遷移状態の具体例を示す図である。
【図５】一連の処理によって表示されるテキスト情報の遷移状態の他の具体例を示す図である。
【符号の説明】
１  音声受信部
２  テキスト受信部
３  音声デコード部
４  アンプ
５  スピーカ
６  切替制御部
７  データデコード部
８  制御部
９  操作部
１０  表示部
３０、４０  アンテナ
３２、４２  ＲＦ部
３４、４４  復調部
３６、４６  デマルチプレクサ
【図１】
0004091268.tif 000002
【図２】
0004091268.tif 000003
【図３】
0004091268.tif 000004
【図４】
0004091268.tif 000005
【図５】
0004091268.tif 000006